(57)【特許請求の範囲】
【請求項１】
扉と、前記扉を開閉可能に支持するフレームと、前記扉を開閉するためにユーザにより操作される操作部と、前記扉の開閉を阻止する状態と開閉を許可する状態との間で切り替え可能なロック手段と、前記操作部に対する前記ユーザの操作を前記ロック手段に対して前記開閉を阻止する状態から前記開閉を許可する状態へ切り替える動作として伝達する伝達機構と、を備えた乳幼児用フェンスにおいて、
前記操作部は、前記扉に対する押し下げ操作と、前記扉に対する当該扉を開く方向への押す操作とが可能なように設けられ、
前記伝達機構は、前記操作部が押し下げられた状態で、前記操作部が前記扉を開く方向に押されたときに、その開く方向への押す操作を前記ロック手段に対して前記開閉を阻止する状態から前記開閉を許可する状態へ切り替える動作として伝達する乳幼児用フェンス。
【請求項２】
前記操作部が押し上げられたときに当該操作部が嵌め込まれて前記開く方向への操作ができないように前記操作部を固定し、前記操作部が押し下げられたときには該操作部の固定を解除する拘束部が設けられ、
前記伝達機構には、前記操作部の前記開く方向への押す操作に伴って回転する伝達ロッドと、該伝達ロッドの回転に伴って回転する回転体とが設けられ、
前記ロック手段として、前記回転体にはロック部が設けられる一方で前記フレームには前記扉が閉じているときに前記ロック部と噛み合うロック受け部が設けられ、
前記開く方向への押す操作に伴って前記回転体が回転したときに前記ロック部が前記ロック受け部から外れて前記ロック手段が前記開閉を許可する状態へ切り替わる請求項１に記載の乳幼児用フェンス。
【請求項３】
前記伝達機構には、前記回転体が前記ロック受け部から外れたときに前記回転体と噛み合って該回転体を所定の角度に回転した状態に固定するスライドキーが設けられ、
前記フレームには、前記扉が閉まるときに前記スライドキーを前記回転体との噛み合いが外れるように動作させるスライドキー当たり面が設けられている請求項２に記載の乳幼児用フェンス。
【請求項４】
前記操作部には、前記操作部を押し上げる方向に付勢するばねが設けられている請求項２又は３に記載の乳幼児用フェンス。
【請求項５】
前記操作部には、該操作部が押し上げられている状態において前記伝達ロッドの上端部に当接する位置と、前記伝達ロッドの側方に離れる位置との間で移動可能なロック部材が設けられている請求項２〜４のいずれか一項に記載の乳幼児用フェンス。
【請求項６】
前記扉には前記扉の上端から突き出た突出部が設けられ、前記操作部は前記突出部の先端に配置されている請求項１〜５のいずれか一項に記載の乳幼児用フェンス。
【請求項７】
前記扉は、１１５ｃｍ以上の高さを有することを特徴とする請求項１〜６のいずれか一項に記載の乳幼児用フェンス。
【発明の詳細な説明】
【技術分野】
【０００１】
本発明は、通路や部屋の出入口等に設置して乳幼児の通行を制限する乳幼児用フェンスに関する。
【背景技術】
【０００２】
台所や階段、浴室など乳幼児にとって危険な場所への乳幼児の進入を防止するために家庭内の通路や部屋の出入口等に設置される乳幼児用フェンスが知られている。この種の乳幼児用フェンスとしては、柱や壁間に突っ張り棒を渡して設置するもの、大人は通行可能なように扉を備えたもの等がある。この扉には乳幼児が開閉できないようにロック機構が設けられており、大人はハンドル等を握って操作することによりこのロックを解除する。
【発明の開示】
【発明が解決しようとする課題】
【０００３】
従来の乳幼児用フェンスでは、扉の開閉操作を行うために握る操作が必要であるため、両手に荷物を持った状態での扉の開閉操作がし難かった。
【課題を解決するための手段】
【０００４】
本発明は、乳幼児には扉の開閉操作が出来ないようにしつつ、両手が塞がっていても容易に扉の開閉操作が可能な乳幼児用フェンスを提供することを目的とする。
【０００５】
本発明の乳幼児用フェンスは、扉と、前記扉を開閉可能に支持するフレームと、前記扉を開閉するためにユーザにより操作される操作部と、前記扉の開閉を阻止する状態と開閉を許可する状態との間で切り替え可能なロック手段と、前記操作部に対する前記ユーザの操作を前記ロック手段に対して前記開閉を阻止する状態から前記開閉を許可する状態へ切り替える動作として伝達する伝達機構と、を備えた乳幼児用フェンスにおいて、前記操作部は、前記扉に対する押し下げ操作と、前記扉に対する当該扉を開く方向への押す操作とが可能なように設けられ、前記伝達機構は、前記操作部が押し下げられた状態で、前記操作部が前記扉を開く方向に押されたときに、その開く方向への押す操作を前記ロック手段に対して前記開閉を阻止する状態から前記開閉を許可する状態へ切り替える動作として伝達することにより、上述した課題を解決する。
【０００６】
このように、扉を開閉するための操作を、操作部を押し下げる操作と操作部を扉の開く方向へ押す操作とを組み合わせた操作にすることで、乳幼児の容易な扉の開閉操作を防止することができる。また、操作部を押し下げつつ扉の開く方向へ押す操作は、操作部を握る必要がないので、両手が塞がっていても扉の開閉を行うことが出来る。
【０００７】
本発明の乳幼児用フェンスにおいて、前記操作部が押し上げられたときに当該操作部が嵌め込まれて前記開く方向への操作ができないように前記操作部を固定し、前記操作部が押し下げられたときには該操作部の固定を解除する拘束部が設けられ、前記伝達機構には、前記操作部の前記開く方向への押す操作に伴って回転する伝達ロッドと、該伝達ロッドの回転に伴って回転する回転体とが設けられ、前記ロック手段として、前記回転体にはロック部が設けられる一方で前記フレームには前記扉が閉じているときに前記ロック部と噛み合うロック受け部が設けられ、前記開く方向への押す操作に伴って前記回転体が回転したときに前記ロック部が前記ロック受け部から外れて前記ロック手段が前記開閉を許可する状態へ切り替わってもよい。
【０００８】
この場合は、前記伝達機構には、前記回転体が前記ロック受け部から外れたときに前記回転体と噛み合って該回転体を所定の角度に回転した状態に固定するスライドキーが設けられ、前記フレームには、前記扉が閉まるときに前記スライドキーを前記回転体との噛み合いが外れるように動作させるスライドキー当たり面が設けられてもよい。また、前記操作部には、前記操作部を押し上げる方向に付勢するばねが設けられてもよい。
【０００９】
本発明の乳幼児用フェンスにおいて、前記扉には前記扉の上端から突き出た突出部が設けられ、前記操作部は前記突出部の先端に配置されてもよい。
【００１０】
扉よりも上方に設けられた突出部へ操作部を配置することにより、操作部を乳幼児の手の届かない高さへ配置することができる。これにより、乳幼児による扉の開閉操作を防止することができる。
【００１１】
本発明の乳幼児用フェンスにおいて、前記扉は、１１５ｃｍ以上の高さを有していてもよい。このように扉の高さを１１５ｃｍ以上にすることで、操作部を１１５ｃｍ以上の場所へ配置することができる。これにより、２歳児までの乳幼児による扉の開閉操作を防止することができる。
【発明の効果】
【００１２】
本発明の乳幼児用フェンスによれば、少なくとも一方向への押す操作のみで扉を開閉することができる。そのため、操作部を握る必要がなく手の甲や腕等でも開閉操作ができるので、両手が塞がっていても容易に扉を開閉することができる。また、操作部を１１５ｃｍ以上の高さへ配置することにより、２歳児までの乳幼児による扉の開閉を防止することができる。
【発明を実施するための最良の形態】
【００１３】
図１に、本発明の一実施形態に係る乳幼児用フェンスを示す。乳幼児用フェンス１は、扉２と、扉２を開閉可能に支持するフレーム３と、扉２を開閉するためにユーザの手又は腕により操作される操作部４と、扉２の開閉を阻止する状態と開閉を許可する状態との間で切り替え可能なロック手段である上部ロック５及び下部ロック６と、を備えている。操作部４は、扉２の上端から突き出た突出部２ａの先端に設けられ、フレーム３の下端３ａから１１５ｃｍ〜１５０ｃｍの高さの範囲に配置される。
【００１４】
フレーム３は、床に沿って配置される梁７と、梁７の両端から上方へ延びる二本の支柱８ａ、８ｂとを備えている。支柱８ａ、８ｂには、乳幼児用フェンス１を家庭内の通路や部屋の出入口に設置するためのアジャスタ９が図１に示した位置にそれぞれ設けられている。また、支柱８ｂには、扉２を奥側（矢印Ａ方向）及び手前側（矢印Ｂ方向）へ開閉可能に支持するためのヒンジ１０ａ、１０ｂが設けられている。
【００１５】
図２に、ヒンジ１０ｂの拡大図を示す。ヒンジ１０ｂは、扉２に取り付けられる回転部材１１と、フレーム３に取り付けられるベース部材１２と、回転部材１１とベース部材１２とを貫いて扉２の開閉の支点となる回転軸１３と、を備えている。回転部材１１とベース部材１２の部品図をそれぞれ図３Ａ、図３Ｂ、図４Ａ及び図４Ｂに示す。
【００１６】
図３Ａは図３Ｂの左方向から見た回転部材１１を示し、図３Ｂは図３Ａの右方向から見た回転部材１１を示している。回転部材１１は、本体１１ａと、本体１１ａ内に一部が入り込むことで上下動可能なように取り付けられているエッジ部１１ｂと、回転軸１３が貫通する軸孔１１ｃと、を備えている。本体１１ａには、エッジ部１１ｂが本体１１ａ内へ入り込んだままの状態にならないようにエッジ部１１ｂを下方へ押し下げるためのばねが内蔵されている。
【００１７】
図４Ａは図４ＢのIV−IV線におけるベース部材１２の縦断面を示し、図４Ｂは図４Ａの右方向から見たベース部材１２を示している。図４Ｂから明らかなように、回転軸１３が取り付けられる軸孔１２ａの一部には、図４Ｂの左右方向から中心へ向かって徐々に傾斜するように窪んで、扉２が閉じたときにエッジ部１１ｂを受け止めるエッジ受け部１２ｂが設けられている。
【００１８】
扉２が閉じている場合、図２に示したようにエッジ部１１ｂの一部とエッジ受け部１２ｂとが噛み合うことで、フレーム３に対する扉２の位置が上部ロック５及び下部ロック６の機能する位置へ調整される。扉２が開状態から閉状態になる場合、エッジ部１１ｂはベース部材１２により一旦本体１１ａ内へ押し上げられた後、エッジ受け部１２ｂと噛み合う。そのためエッジ部１１ｂは、本体１１ａ内に内蔵されたばねにより下方へ復元しつつエッジ受け部１２ｂと噛み合う。エッジ部１１ｂの復元はエッジ受け部１２ｂの傾斜に沿って行われるので、扉２は、扉２が閉じていた元の位置（図２の状態の位置）へ自動的に戻り、フレーム３を通過して反対側へ行き過ぎることはない。
【００１９】
図５及び図６に操作部４と上部ロック５との内部構造を示す。なお、図６は、図５の右方向から見た場合の操作部４及び上部ロック５の内部構造を示している。図５から明らかなように突出部２ａ内には、操作部４に対するユーザの操作を上部ロック５と下部ロック６とに対して扉２の開閉を阻止する状態から開閉を許可する状態へ切り替える動作として伝達する伝達機構１４が設けられている。
【００２０】
操作部４は、ユーザに操作される操作ハンドル４ａと、操作ハンドル４ａを上方向に押し上げることで操作ハンドル４ａの胴部４ｂを扉２の拘束部２ｂへ嵌め込ませて（図６参照）操作ハンドル４ａの位置を固定するばね１５と、を備えている。
【００２１】
伝達機構１４は、中心線ＣＬ１の位置に設けられた回転軸１６ａを中心として図６の矢印Ｃ及び矢印Ｄ方向へ回転可能に取り付けられ、操作ハンドル４ａの動作を伝達する伝達ロッド１６と、中心線ＣＬ２を中心にして図６に示した矢印Ｅ及び矢印Ｆ方向へ回転可能に取り付けられ、伝達ロッド１６の先端に設けられた窪み部１６ｂと伝達ロッド受け部１７ａとが噛み合うように設けられる回転体１７と、回転体１７が回転したときに回転体１７のスライドキー受け部１７ｂとキー部１８ａとが噛み合って回転体１７を固定するスライドキー１８と、スライドキー１８を図５の右方向へ押すように作用するばね１９と、中心線ＣＬ３を中心として矢印Ｇ及び矢印Ｈ方向（図７参照）へ回転可能に取り付けられ、回転体１７の下部ロック用カム押し下げ面１７ｃとカム凸部２０ａとが接触するように設けられる下部ロック用カム２０と、下部ロックカム２０が矢印Ｇ方向及び矢印Ｈ方向へ回転することで矢印Ｉ及び矢印Ｊ方向へ上下動する下部ロック伝達ロッド２１と、を備えている。
【００２２】
下部ロック伝達ロッド２１は、梁７に設けられた穴に嵌ることで扉２の開閉を阻止する状態になるロックピン２２（図１参照）と接続されている。ロックピン２２は、下部ロック伝達ロッド２１が矢印Ｉ方向へ移動することにより梁７の穴から引き抜かれ、下部ロック伝達ロッド２１が矢印Ｊ方向へ移動することにより梁７の穴へ挿入される。
【００２３】
支柱８ａには、扉２が閉じているときに回転体１７のロック部１７ｄと噛み合って扉２の開閉を阻止するロック受け部２３と、扉２が閉まる際にスライドキー１８と接触してキー部１８ａとスライドキー受け部１７ｂとの噛み合いを外すスライドキー当たり部２４と、が設けられている。
【００２４】
図７に伝達機構１４の一部を拡大した図を示す。また、図８Ａ〜図８Ｄに、それぞれ図７のVIIIａ−VIIIａ線、VIIIｂ−VIIIｂ線、VIIIｃ−VIIIｃ線及びVIIIｄ−VIIIｄ線における回転体１７の断面図を示す。図８Ａは、伝達ロッド１６の窪み部１６ｂと伝達ロッド受け部１７ａとの噛み合いの状態を示している。図６に示したように、扉２が閉じている場合、拘束部２ｂに胴部４ｂが拘束されることで操作ハンドル４ａが固定されるので、伝達ロッド１６は図６の中心線ＣＬ４に沿った状態で固定される。そのため、伝達ロッド受け部１７ａは図８Ａに示した位置に固定される。図８Ｂは、ロック部１７ｄとロック受け部２３との状態を示している。図８Ｂから明らかなように、扉２が閉じているときは、ロック部１７ｄとロック受け部２３とが噛み合っている。このように、ロック部１７ｂとロック受け部２３とが噛み合うことで扉２の開閉を阻止する状態となり、上部ロック５として機能する。
【００２５】
図８Ｃは、スライドキー１８とスライドキー受け部１７ｂとの状態を示している。図５及び図８Ｃから明らかなように、扉２が閉じている場合、キー部１８ａはスライドキー受け部１７ｂから外れた状態にある。なお、図８Ｃから明らかなように、スライドキー受け部１７ｂは、中心線ＣＬ４に対して所定の角度θで回転体１７の左右にそれぞれ一箇所ずつ設けられている。図８Ｄは、下部ロック用カム押し下げ面１７ｃと下部ロック用カム２０との状態を示している。下部ロック用カム２０が図８Ｄの状態の場合に、ロックピン２２は梁７の穴へ挿入されて扉２の開閉を阻止する状態になる。
【００２６】
次に、図９Ａ、図９Ｂ、図１０Ａ、図１０Ｂ、図１１及び図１２Ａ〜図１２Ｄを用いて、扉２の開閉操作手順を説明する。扉２を開閉可能な状態にするために、まずユーザにより操作ハンドル４ａが図５の下方向（矢印Ｋ方向）へ押し下げられる。図９Ａ及び図９Ｂに、操作ハンドル４ａが押し下げられた状態の操作部４及び伝達機構１４の内部の状態を示す。図９Ａ及び図９Ｂから明らかなように、操作ハンドル４ａが押し下げられることによりばね１５が縮められ、操作ハンドル４ａの首部４ｃが突出部２ａ内に押し込まれる。これにより、胴部４ｂが下方向へ移動して拘束部２ｂから外れ、操作ハンドル４ａの固定が解除される。なお、図９Ａ及び図９Ｂの状態における回転体１７は、まだ伝達ロッド１６が矢印Ｃ又は矢印Ｄ方向へ回転していないので図７の状態を保持している。
【００２７】
次に操作ハンドル４ａは、押し下げられた状態（図９Ａ及び図９Ｂの状態）のまま矢印Ａ又は矢印Ｂ方向へ押される。図１０Ａ及び図１０Ｂに、操作ハンドル４ａが押し下げられた状態のまま矢印Ａ方向へ押されたときの操作部４及び伝達機構１４の状態を示す。また、図１１に図１０Ａの状態における伝達機構１４の一部を拡大した図を示し、図１２Ａ〜図１２Ｄに、それぞれ図１１のXIIａ−XIIａ線、XIIｂ−XIIｂ線、XIIｃ−XIIｃ線及びXIIｄ−XIIｄ線における回転体１７の断面図を示す。
【００２８】
図１０Ｂから明らかなように、操作ハンドル４ａが矢印Ａ方向へ押されたことにより伝達ロッド１６が矢印Ｃ方向へ回転し、これにより窪み部１６ｂが図１０Ｂの左側へ移動する。図１２Ａに示したように、窪み部１６ｂの移動は、伝達ロッド受け部１７ａを矢印Ｅ方向へ移動させ、回転体１７を矢印Ｅ方向へ回転させる。
【００２９】
回転体１７の矢印Ｅ方向への回転により、図１２Ｂに示したようにロック部１７ｄとロック受け部２３との噛み合いが外れる。これにより、上部ロック５は扉２の矢印Ａ方向への開閉を許可する状態に切り替わる。また、図１２Ｄに示したように、回転体１７が回転することにより下部ロック用カム押し下げ面１７ｃがカム凸部２０ａを押し下げ（図１１も参照）、下部ロック用カム２０を矢印Ｇ方向へ回転させる。これにより、下部ロック伝達ロッド２１が矢印Ｉ方向へ引き上げられ、ロックピン２２が梁７の穴から引き抜かれる。従って、下部ロック６は、扉２の開閉を許可する状態に切り替わる。
【００３０】
回転体１７の矢印Ｅ方向への回転は、スライドキー受け部１７ｂを中心線ＣＬ４上へ移動させる（図１２Ｃ参照）。そのため、図１１に示したようにスライドキー１８がばね１９に押されて矢印Ｌ方向へ移動し、キー部１８ａとスライドキー受け部１７ｂとが噛み合う。これにより、回転体１７は所定の角度θに回転した状態に固定される。
【００３１】
このように、操作ハンドル４ａが押し下げられつつ矢印Ａ方向へ押されることで、上部ロック５及び下部ロック６が扉２の開閉を許可する状態に切り替えられる。従って、ユーザは扉２を矢印Ａ方向へ開けることができる。
【００３２】
一方、扉２が矢印Ｂ方向へ閉まる場合、まずスライドキー当たり面２４がスライドキー１８と当たってばね１９が縮み、スライドキー１８とスライドキー受け部１７ｂとの噛み合いが外れる。これにより回転体１７が回転可能な状態になる。次に、図１２Ｂの状態に固定されていたロック部１７ｄがロック受け部２３と接触し、ロック受け部２３の外周に沿って矢印Ｆ方向へ回転することで回転体１７を矢印Ｆ方向へ回転させる。これにより、ロック部１７ｄとロック受け部２３とが噛み合って図８Ｂの状態に戻る。従って、上部ロック５は、扉２の開閉を阻止する状態に切り替わる。また、回転体１７の矢印Ｆ方向への回転により下部ロック用カム押し下げ面１７ｃも図８Ｄの状態に戻る。そのため、下部ロック用カム２０が矢印Ｈ方向へ回転してロックピン２２が梁７の穴に挿入される。従って、下部ロック６も扉２の開閉を阻止する状態に切り替わる。この際、操作ハンドル４ａは、ばね１５により押し上げられるので胴部４ｂと拘束部２ｂとが噛み合い、図５の状態に戻される。このように各部が動作することで、乳児用フェンス１は、図５、図６、図７及び図８Ａ〜８Ｄに示した状態に復帰する。
【００３３】
扉２は、矢印Ａ方向だけではなく、矢印Ｂ方向へ開けることもできる。扉２が矢印Ｂ方向へ開けられる場合、操作ハンドル４ａはユーザにより矢印Ｋ方向へ押し下げられつつ矢印Ｂ方向へ押される。ユーザのこの操作により、伝達ロッド１６は矢印Ｄ方向へ回転し、回転体１７は矢印Ｆ方向へ回転する。回転体１７の矢印Ｆ方向への回転は、ロック部１７ｄを矢印Ｆ方向へ回転させて上部ロック５を扉２の開閉を許可する状態へ切り替え、下部ロック用カム２０を矢印Ｇ方向へ回転させて下部ロック６を扉２の開閉を許可する状態へ切り替える。従って、ユーザは扉２を矢印Ｂ方向へ開けることができる。
【００３４】
扉２が矢印Ｂ方向へ開けられて矢印Ａ方向へ閉まる場合は、まずスライドキー当たり面２４によりスライドキー１８とスライドキー受け部１７ｂとの噛み合いが外れ、回転体１７が回転可能な状態になる。次に、ロック部１７ｄがロック受け部２３と接触することで回転体１７が矢印Ｅ方向へ回転し、これにより上部ロック５は扉２の開閉を阻止する状態（図８Ｂの状態）に切り替わる。また、回転体１７の矢印Ｅ方向への回転により下部ロック用カム押し下げ面１７ｃが図８Ｄの状態に復帰するので、下部ロック６も扉２の開閉を阻止する状態に切り替わる。
【００３５】
このように、操作ハンドル４ａに対する押す操作のみで扉２の開閉操作を行えるので、ユーザは、両手が塞がった状態でも扉２を矢印Ａ及び矢印Ｂ方向へ開閉させることができる。また、操作ハンドル４ａの位置を、フレーム３の下端３ａから１１５ｃｍ〜１５０ｃｍの高さの範囲に配置したので、２歳児までの乳幼児による扉２の開閉操作を防止することができる。
【００３６】
本発明は、上述した実施形態に限定されることなく、種々の形態にて実施してよい。例えば、扉の高さを１１５ｃｍ以上にしてもよい。このようにすることでも、操作部を１１５ｃｍ以上の高さへ配置することができる。
【００３７】
ロック手段を切り替えるために操作部を押す方向は、下方向及び扉を開ける方向に限定されない。例えば斜め下方向等、操作部を押せる方向であれば種々の方向をユーザの押す方向に設定することができる。また、押す方向の組み合わせも、２方向の組み合わせに限定されない。例えば、３方向以上の方向へ押す操作を組み合わせた操作により扉が開くように設定してもよいし、１方向へ押す操作のみで扉が開くように設定してもよい。
【００３８】
図１３Ａは本発明における他の形態を示す図である。なお、上述した形態と同一部分には同一符号を付してそれらの詳細な説明は省略する。図１３Ａの形態において、操作部４の操作ハンドル４ａには図１３Ａの左右方向に貫通孔４ｄが設けられている。貫通孔４ｄにはロック部材１０１が収納されている。図１４にも示したように、ロック部材１０１は平板状の本体部１０１ａとその本体部１０１ａの下方に突出するロック片１０１ｂとを備えている。貫通孔４ｄに装着された状態において、ロック部材１０１はロック片１０１ｂの先端（下端）が伝達ロッド１６の上端部に当接する図１３Ａの位置と、ロック片１０１ｂの先端が伝達ロッド１６の側方に離れる図１３Ｂの位置との間を貫通孔４ｄの長手方向（図の左右方向）に沿って移動可能である。なお、図１４から明らかなように、ロック部材１０１の本体部１０１ａには長孔１０１ｃが設けられており、ばね１５はその長孔１０１ｃを貫いて貫通孔４ｄの上側の内壁面に当接する。長孔１０１ｃの大きさは、ロック部材１０１がその位置に拘わりなくばね１５と干渉しないように設定されている。また、ロック部材１０１の位置を操作ハンドル４ａの外部から切り換え操作可能とすべく、本体部１０１ａは貫通孔４ｄよりも幾らか長く形成され、ロック部材１０１がいずれの位置にあっても本体部１０１ａの少なくとも一端部が貫通孔４ｄから突出する。
【００３９】
以上の形態の乳児用フェンスによれば、ロック部材１０１が図１３Ａの位置に保持されてロック片１０１ｂと伝達ロッド１６とが当接することにより、操作ハンドル４ａを押し下げ操作することが不可能となり、扉２を開くことができない。一方、ロック部材１０１を図１３Ｂの位置に移動させることにより、ロック片１０１ｂが伝達ロッド１６から離れ、図１３Ｃに示すように操作ハンドル４ａを押し下げて伝達ロッド１６を下方に押し込み、それにより扉２のロックを解除してこれを開くことができる。このように、図１３Ａ〜図１３Ｃに示した形態によれば、ロック部材１０１の追加により操作ハンドル４ａの状態を、押し込み操作が不可能な状態と、押し込み操作が可能な状態との間で切り換えることができる。従って、扉２の開放を望まない場合において、ロック部材１０１を図１３Ａの位置に切り換えておくことにより、意図しない扉２の開放を阻止することができ、乳幼児フェンスをより安全に使用することができる。
【図面の簡単な説明】
【００４０】
【図１】本発明の一実施形態に係る乳幼児用フェンスを示す図。
【図２】図１の乳幼児用フェンスの下部ヒンジの拡大図。
【図３Ａ】図２のヒンジに組み込まれるリターン機構の扉側部品の部品図。
【図３Ｂ】扉側部品を図３Ａの右方向から見た状態を示す図。
【図４Ａ】図２のヒンジに組み込まれるリターン機構のフレーム側部品の部品図。
【図４Ｂ】フレーム側部品を図４Ａの右方向から見た状態を示す図。
【図５】操作部及び伝達機構を図６の左方向から見たときの内部構造を示す図。
【図６】操作部及び伝達機構を図５の右方向から見たときの内部構造を示す図。
【図７】図５の状態における伝達機構の一部を拡大した図。
【図８Ａ】図５の状態における回転体の図７のVIIIａ−VIIIａ線に沿った断面図。
【図８Ｂ】図５の状態における回転体の図７のVIIIｂ−VIIIｂ線に沿った断面図。
【図８Ｃ】図５の状態における回転体の図７のVIIIｃ−VIIIｃ線に沿った断面図。
【図８Ｄ】図５の状態における回転体の図７のVIIIｄ−VIIIｄ線に沿った断面図。
【図９Ａ】操作ハンドルが押し下げられたときの操作部及び伝達機構の状態を示す図。
【図９Ｂ】図９Ａの右方向から見た操作部及び伝達機構を示す図。
【図１０Ａ】操作ハンドルが押し下げられつつ扉の開く方向へ押されたときの操作部及び伝達機構の状態を示す図。
【図１０Ｂ】図１０Ａの右方向から見た操作部及び伝達機構を示す図。
【図１１】図１０Ａの状態における伝達機構の一部を拡大した図。
【図１２Ａ】図１０Ａの状態における回転体の図１１のXIIａ−XIIａ線に沿った断面図。
【図１２Ｂ】図１０Ａの状態における回転体の図１１のXIIｂ−XIIｂ線に沿った断面図。
【図１２Ｃ】図１０Ａの状態における回転体の図１１のXIIｃ−XIIｃ線に沿った断面図。
【図１２Ｄ】図１０Ａの状態における回転体の図１１のXIIｄ−XIIｄ線に沿った断面図。
【図１３Ａ】本発明の他の形態における操作部の詳細を示す図。
【図１３Ｂ】図１３Ａからロック部材を操作した状態を示す図。
【図１３Ｃ】図１３Ｂから操作ハンドルを押し下げ操作した状態を示す図。
【図１４】図１３Ａのロック部材の斜視図。
【符号の説明】
【００４１】
１  乳幼児用フェンス
２  扉
２ａ  突出部
３  フレーム
３ａ  フレームの下端
４  操作部 
５  上部ロック（ロック手段）
６  下部ロック（ロック手段）
１４  伝達機構
【図１】
0005170957.tif 000002
【図２】
0005170957.tif 000003
【図３Ａ】
0005170957.tif 000004
【図３Ｂ】
0005170957.tif 000005
【図４Ａ】
0005170957.tif 000006
【図４Ｂ】
0005170957.tif 000007
【図５】
0005170957.tif 000008
【図６】
0005170957.tif 000009
【図７】
0005170957.tif 000010
【図８Ａ】
0005170957.tif 000011
【図８Ｂ】
0005170957.tif 000012
【図８Ｃ】
0005170957.tif 000013
【図８Ｄ】
0005170957.tif 000014
【図９Ａ】
0005170957.tif 000015
【図９Ｂ】
0005170957.tif 000016
【図１０Ａ】
0005170957.tif 000017
【図１０Ｂ】
0005170957.tif 000018
【図１１】
0005170957.tif 000019
【図１２Ａ】
0005170957.tif 000020
【図１２Ｂ】
0005170957.tif 000021
【図１２Ｃ】
0005170957.tif 000022
【図１２Ｄ】
0005170957.tif 000023
【図１３Ａ】
0005170957.tif 000024
【図１３Ｂ】
0005170957.tif 000025
【図１３Ｃ】
0005170957.tif 000026
【図１４】
0005170957.tif 000027